(57)【要約】【課題】家具における正面側に対して着脱自在の装飾体を設けて、家具の装飾効果を高めることができると共に、装飾体を付け替えることで家具の趣や味わいなどを変えることができる装飾体付き家具を提供する。【解決手段】家具ｂにおける正面側に位置し家具ｂを構成する構成体１の表面部に取付凹部２を設けて、この取付凹部２の内部形状に合わせて形成し該取付凹部２内へ着脱自在の装飾部材３を設けると共に、この装飾部材３を前記構成体に止め付ける固定部材４を設ける。【選択図】図１
2004024718.tif 000002
【特許請求の範囲】
【請求項１】
家具における正面側に位置し前記家具を構成する構成体と、この構成体の表面部に設けた取付凹部と、この取付凹部の内部形状に合わせて形成し該取付凹部内へ着脱自在に設ける装飾部材と、この装飾部材を前記構成体に止め付ける固定部材とを備えさせたことを特徴とする装飾体付き家具。
【請求項２】
装飾部材は、構成体における取付凹部の内部形状に合わせて形成した基体と、この基体を外装する外被部材とからなり、
前記外被部材は、可撓性を有する素材により形成されていて、少なくとも、前記基体の表面側を包み込むように取り付けられたことを特徴とする請求項１記載の装飾体付き家具。
【請求項３】
固定部材は、構成体の裏面より取付凹部へ貫通させた通孔に挿入し、装飾部材における基体に螺合するビスであり、前記装飾部材は、構成体の裏面から止め付けられることを特徴とする請求項１記載の装飾体付き家具。
【発明の詳細な説明】
【０００１】
【産業上の利用分野】
本発明は、家具における正面側に対して着脱自在の装飾体を設けて、家具の装飾効果を高めることができると共に、装飾体を付け替えることで家具の趣を変えることができる装飾体付き家具に関する。
【０００２】
【従来の技術】
従来、家具において、例えば、タンスなどの引き出し前面側は、単に前板が設けられているだけで、その表面は平滑状であり、趣や味わいに欠けるものであった。
【０００３】
【発明が解決しようとする課題】
本発明は前記した問題点を解決するためになされたもので、家具における正面側に位置し前記家具を構成する構成体の表面部に取付凹部を設けて、この取付凹部の内部形状に合わせて形成し該取付凹部内へ着脱自在の装飾部材を設けると共に、この装飾部材を前記構成体に止め付ける固定部材を設けることにより、家具における正面側に対して着脱自在の装飾体を設けて、家具の装飾効果を高めることができると共に、装飾体を付け替えることで家具の趣を変えることができる装飾体付き家具を提供することを目的としている。
【０００４】
【課題を解決するための手段】
前記した目的を達成するための本発明の手段は、
家具における正面側に位置し前記家具を構成する構成体と、この構成体の表面部に設けた取付凹部と、この取付凹部の内部形状に合わせて形成し該取付凹部内へ着脱自在に設ける装飾部材と、この装飾部材を前記構成体に止め付ける固定部材とを備えさせた装飾体付き家具の構成にある。
【０００５】
装飾部材は、構成体における取付凹部の内部形状に合わせて形成した基体と、この基体を外装する外被部材とからなり、
前記外被部材は、可撓性を有する素材により形成されていて、少なくとも、前記基体の表面側を包み込むように取り付けられる。
【０００６】
固定部材は、構成体の裏面より取付凹部へ貫通させた通孔に挿入し、装飾部材における基体に螺合するビスであり、前記装飾部材は、構成体の裏面から止め付けられる。
【０００７】
【実施例】
次に、本発明に関する装飾体付き家具の一実施例を図面に基づいて説明する。
図１〜図２および図５においてＡは装飾体付き家具で、構成体１と、取付凹部２と、装飾部材３と、固定部材４とにより基本的に構成される。
【０００８】
前記した構成体１は、家具ｂにおける正面側に位置していて、この家具ｂの少なくとも一部を構成するもので、この家具ｂは、例えば、図２に示すような引き出しであって、構成体１に取り付けた側板５，６と背板７および底板８とにより上部が開放した箱形に形成してある。
なお、この構成体１は、図示してないが、家具ｂにおける扉の全面や、家具ｂにおける天板の前面部、家具ｂにおける中間や底部の台座部、家具ｂにおける前板部など家具ｂの任意の部位が用いられる。また、この家具ｂは、単に引き出しや収納箱のみの場合を指すこともある。
【０００９】
前記した取付凹部２は、構成体１の表面部において、この表面から構成体１の厚さ方向の内方へ向かって凹むように、かつ、外形状が角形や円形などに形成してあって、後記する装飾部材４の外形状が納まるように設けられている。
また、この取付凹部２の取付面２ａは、構成体１の表面部と略平行に設けられている。
【００１０】
前記した装飾部材３は、図３等に示すように、取付凹部２の内部形状に合わせて形成し、該取付凹部２内へ着脱自在に設けるもので、この装飾部材３は、構成体１における取付凹部２の内部形状に合わせて外形状が角形や円形などに形成した基体９と、この基体９を外装する外被部材１０とからなる。
【００１１】
前記した基体９は、比較的硬質な木製や合成樹脂製により成形されていて、構成体１における取付凹部２の内部形状までいっぱいに形成するか、あるいは、その外周部に隙間を有するゆとりを持った状態に形成される。
【００１２】
また、前記した外被部材１０は、可撓性を有する素材により、例えば、表面に色彩や模様などの適宜なデザインを施されたおよび無模様の紙や布あるいはレザー，合成樹脂シートなどにより形成されていて、少なくとも、基体９の表面側を包み込むように取り付けられる。
【００１３】
この外被部材１０は、基体９に対して交換自在に設けることができるもので、該外被部材１０の周部端末２０を基体９の裏面に折り返してこの周部端末の折り返し部２０該基体９背面へ糊付け（剥離可能のものでもよい。）や接着テープ等の止着手段（図示せず）により止め付けておけば、この外被部材１０の表面側は緊張状態（シワや歪みなどを生じない密着した状態）で体裁よく保持されるものであって、前記止着手段の止着を解除すれば、該外被部材１０と基体９とは分離させることができる。
なお、この外被部材１０と基体９との固着にあっては、該外被部材１０の内面部と基体９の表面部とに接着層（図示せず）を設けてこの接着層の接合により行ってもよい。
【００１４】
また、この装飾部材３における基体９は、取付凹部２の取付面２ａに対して平滑状に形成されている。更に、装飾部材３にあってその表面側は、図１および図３に示すように、平滑状に形成される以外にも、図４において各図に示されるように円弧状に膨出させたり、凹凸状に形成させたりする。
すなわち、図４（ａ），（ｂ）に示すように、基体９の前側部において、この基体９と外被部材１０の内面部との間に綿や布等あるいは成形物などの軟質材（弾性材）や硬質材からなる膨出部材１１を介在させることで、装飾部材３の表面側に立体感が表現される。また、膨出部材１１に軟質材（弾性材）を用いることで、この膨出部材１１および外被部材１０を通しての外観的な質感に丸みが表されて趣向が向上する。
更に、図４（ｃ）に示すように、基体９の表面部に凹凸状の意匠形態１２を設けて、この意匠形態１２面へ当接して馴染むように外被部材１０を添わせることで、前記同様に、装飾部材３の表面側に立体感が表現される。
【００１５】
また、装飾部材３における外被部材１０は、家具ｂに合わせて、あるいは、季節や時期に合わせて任意な素材を用いることができるもので、例えば、布などを用いるときは、かつて着用して、現在は使用していない着物や洋服の古着（例えば、七五三や成人式などで使用したもの等）などを選択利用することで、着用していた時の思い出や記念などを醸し出すことができ、更に、家具ｂにおいて、これら衣類などの収納区分けなどができて装飾を兼ねた表示機能を発揮させることができる。
装飾部材３は、その基体９の単体に対して複数種の外被部材１０を付け替えることで、室内の雰囲気や志向を変化させることができるものであるが、あらかじめ、複数種の外被部材１０ごとに基体９を用意した複数種からなる装飾部材３を用意して、適宜交換させた方法であってもよいものである。
【００１６】
前記した固定部材４は、装飾部材３を構成体１に止め付けて容易に離脱しないようにしておくもので、例えば、図１に示すように、この固定部材４は、構成体１の裏面より取付凹部２へ貫通させた通孔１３に挿入し、装飾部材３における基体９に螺合するビスであり、装飾部材３における基体９の取付孔１４へ螺入するビスによって、構成体１の裏面から止め付けられる。この取付孔１４は、基体９の表側へには貫通しない。
また、図５に示すような、磁石式や面状ファスナーなども採用される。前記磁石式は、基体９に埋設した磁石１５に対応させて、構成体１における取付凹部２の取付面２ａに設けた鉄板などの磁性体１６を設けて、この磁力により、構成体１の取付凹部２に装飾部材３を固定させる。
なお、装飾部材３の構成体１からの取り外しにあっては、構成体１の取付凹部２に臨む適所において、構成体１の裏面より取付凹部２へ貫通させた操作孔１７に操作部材１８を挿入して構成体１を付き押すことで、磁石１５と磁性体１６との接合を解除させ、取付凹部２からの装飾部材３の取り出しを簡便に行うことができる。
【００１７】
したがって、前記のように構成される本発明実施例の装飾体付き家具Ａは、以下に述べる作用を奏する。
家具における引き出しｂに対して、本発明実施例の装飾体付き家具Ａを用いた場合には、この引き出しｂの構成体１における前面部に所定の取付凹部２を形成しておく。
【００１８】
また、あらかじめ、この取付凹部２の外形状に見合う基体９を形成しておくもので、図２に示す家具である引き出しｂにあっては、取付凹部２は正面形状横長の長方形状に形成されているので、この形状に合わせて基体９を横長の長方形状で、取付凹部２の深さに相当する厚さに形成される。
この基体９の外表面部に、外装部材１０を被せて基体９の背面において止着部材により止め付けると、図３に示すような、装飾部材３が形成される。この外装部材１０は、家具ｂの形状や色彩と調和し、かつ、利用者の感覚に応じてその色や模様などの外観意匠が選択される。
【００１９】
この装飾部材３を構成体１の取付凹部２に嵌め込み、該構成体１の背面から固定部材４によりこの装飾部材３と構成体１と一体的に固定する。
このとき、装飾部材３における外被部材１０に布などを用いたときは、該布の厚さの選定や基体９への膨らんだ包み込み具合によって、取付凹部２へ嵌め込みを隙間無く行うことができて外観的体裁が良好となると共に、該装飾部材３が取付凹部２に仮止めされて固定部材１０による固定操作時に装飾部材３の妄動や脱落がない。
【００２０】
この実施例によれば、装飾部材３は、構成体１の取付凹部２に簡単に嵌め込んで固定部材１０により固定することができるもので、家具ｂにおいて、例えば、単に前板が設けられているだけの家具ｂの引き出し前面側が、取付凹部２に設けた装飾部材３によって、大きな趣や味わいを得ることができ、家具ｂ全体の意匠を高めることができる。
【００２１】
特に、装飾部材３は、取付凹部２に対して着脱自在に設けられるため、必要に応じて、この装飾部材３を交換したり外した状態で使用することができる。
また、この装飾部材３は、基体９と外被部材１０とからなるもので、この基体９に対して他の種類の外被部材１０を付け替えることができるので、適宜、取付凹部２からこの装飾部材３を外して、古い外被部材１０を外し新しい外被部材１０を基体９に取り付けることで、いわゆる衣替えが簡単にできる。更に、複数種の装飾部材３を多数用意しておくことで、ビスなどによる固定部材１０の操作によって簡単にこの装飾部材３の交換ができる。
【００２２】
更に、装飾部材３に衣類を用いれば、例えば、使用することがなくなった過去の記念や思い出となるものを外被部材１０に再利用（リフォーム）することで、この衣類を有効に利用することができるもので、家具ｂにおける各部位の多くの構成体１に該装飾部材３を設けることで、統一した衣類の異なった柄や模様取りを行って室内装飾に貢献することができる。
また、異なる意匠の装飾部材３を適宜入れ替えることで、家具ｂ自体もリフォームされるものである。
【００２３】
【発明の効果】
本発明に係る請求項１および３は、構成体の取付凹部に装飾部材を簡単に嵌め込んで固定部材により固定することができるもので、この取付凹部に設けた装飾部材によって、家具全体の外観体裁を変えることができ、大きな趣や味わいを得ることができる。
本発明に係る請求項２は、基体に対して他の種類の外被部材を付け替えて、装飾部材自体を変化させることができる。
【図面の簡単な説明】
【図１】本発明の装飾体付き家具の一実施例の要部を示す縦断側面図である。
【図２】図１における装飾体付き家具を示す斜視図である。
【図３】図１における装飾体付き家具の装飾部材の一部を破断して示す斜視図である。
【図４】図１における装飾体付き家具の装飾部材の他の各例を示す縦断面図である。
【図５】図１における装飾体付き家具の固定部材の他の実施例を示す縦断面図である。
【符号の説明】
Ａ…装飾体付き家具．ｂ…家具．１…構成体．２…取付凹部．３…装飾部材．４…固定部材．９…基体．１０…外被部材．１４…通孔
【図１】
2004024718.tif 000003
【図２】
2004024718.tif 000004
【図３】
2004024718.tif 000005
【図４】
2004024718.tif 000006
【図５】
2004024718.tif 000007